【手続補正書】
【提出日】平成16年6月17日(2004.6.17)
【手続補正１】
【補正対象書類名】明細書
【補正対象項目名】特許請求の範囲
【補正方法】変更
【補正の内容】
【特許請求の範囲】
【請求項１】  焼成されたガラスの又は結晶化ガラスのピースを製造するためのベース材料であって、２０００μｍより小さい直径を有する粒子寸法の粒状体を含む粒状材料であって、少なくとも、
フリット組成物、エナメル組成物、ガラスおよびそれらの混合物から選択される、６０〜９９．８９重量％の第１成分、
ベース材料の焼結温度の終了点よりも低い分解温度を有する、０．１〜５重量％の有機結合剤、
を含むこと、ならびに、当該材料が、含水量が３重量％よりも少ない粒状体の形態であることを特徴とするベース材料。
【請求項２】  粒状体が１０００μｍよりも小さい直径を有する粒状体であることを特徴とする請求項１に記載の材料。
【請求項３】  結合剤が、
ビニル、アクリル、および／またはスチレンポリマー、ならびにその誘導体の合成プラスチック水性ディスパージョン、
合成樹脂、
天然樹脂、
多糖類および変性多糖類、
ポリビニルアルコール、
ワックス、
ポリエチレングリコール、
ポリプロピレングリコール、
シリコーン、およびシリコーン誘導体、および
アルキル樹脂、
セルロース誘導体、
ならびにそれらの組み合わせ
により形成される群から選択されることを特徴とする請求項１に記載の材料。
【請求項４】  結合剤がアクリル酸エステルコポリマーであることを特徴とする請求項３に記載の材料。
【請求項５】  少なくとも沈殿防止剤をさらに含むことを特徴とする請求項１に記載の材料。
【請求項６】  沈殿防止剤の量が０．０１〜２０重量％であることを特徴とする請求項５に記載の材料。
【請求項７】  沈殿防止剤が有機製品および無機製品から選択されることを特徴とする、請求項５または請求項６に記載の材料。
【請求項８】  沈殿防止剤がカオリンであることを特徴とする請求項７に記載の材料。
【請求項９】  少なくとも染料をさらに含むことを特徴とする請求項１に記載の材料。
【請求項１０】  染料の量が０．０１〜１５重量％である請求項９に記載の材料。
【請求項１１】  染料が、無機化合物、可溶性の塩、および着色フリットから選択されることを特徴とする請求項１０に記載の材料。
【請求項１２】  染料が無機顔料であることを特徴とする請求項１０または１１に記載の材料。
【請求項１３】  前記粒状体の全体にわたって染料が分散していることを特徴とする請求項１０、１１または１２に記載の材料。
【請求項１４】  染料が、当該材料の粒状体の少なくとも一部のコーティングとして存在することを特徴とする、請求項１０、１１、１２または１３に記載の材料。
【請求項１５】  ガラスの又は結晶化ガラスのピースを製造するためのベース材料を製造する方法であって：
フリット組成物、エナメル組成物、ガラス、およびそれらの任意の混合物から選択される、少なくとも第１成分を、ベース材料の焼結温度の終了点よりも低い分解温度を有する有機結合剤と少なくとも混合し、これを１０００μｍよりも小さい直径を有する粒子寸法が得られるまで湿式粉砕することによって、第１混合物を調製する第１工程、
第１混合物を造粒し、含水量が３重量％より少なくなるように乾燥して、第１成分を６０〜９９．８９重量％、および有機結合剤を０．１〜５重量％を含む、直径が２０００μｍよりも小さい粒状体である粒状材料を得る第２工程
を含むことを特徴とする方法。
【請求項１６】  粒状体が１０００μｍよりも小さい直径を有することを特徴とする請求項１５に記載の方法。
【請求項１７】  結合剤が、水性ディスパージョンの形態で、溶液の形態で、または固体として、添加されることを特徴とする請求項１５に記載の方法。
【請求項１８】  染料もまた第１工程において添加されることを特徴とする請求項１５に記載の方法。
【請求項１９】  沈殿防止剤もまた第１工程において添加されることを特徴とする請求項１５に記載の方法。
【請求項２０】  ガラスの又は結晶化ガラスのピースを製造する方法であって、
請求項１〜１４のいずれか１項に記載のベース材料を、機械成形装置に供給して、成形された材料を調製すること、
成形された材料を焼成すること
を含むことを特徴とする方法。
【請求項２１】  機械成形が圧縮により実施されることを特徴とする請求項２０に記載の方法。
【請求項２２】  圧縮の際に３５０ｋｇ／ｃｍ２〜６００ｋｇ／ｃｍ２の圧力が加えられることを特徴とする請求項２１に記載の方法。
【請求項２３】  機械成形が押出により実施されることを特徴とする請求項２０に記載の方法。
【請求項２４】  ベース材料が、請求項１で規定される特性と異なる物理的特性を少なくとも有する形状に少なくとも予備成形されることを特徴とする請求項２０〜２３のいずれか１項に記載の方法。
【請求項２５】  請求項１〜１４のいずれか１項に記載のベース材料の第１フラクション；
請求項１〜１４のいずれか１項に記載のベース材料の第２フラクション；
請求項１〜１４のいずれか１項に記載のベース材料の第３フラクション；
であって、粒子寸法、湿り度合、染料の存在、染料の割合、沈殿防止剤の存在、沈殿防止剤の割合、結合剤の割合、および物理的特性から選択される少なくとも第１特性において異なっている第１フラクション、第２フラクションおよび第３フラクションから選択される少なくとも２つのフラクションを成形装置に供給することを特徴とする、請求項２０〜２３のいずれか１項に記載の方法。
【請求項２６】  第３フラクションが、第１フラクションおよび第２フラクションの粒子寸法よりも大きい粒子寸法を少なくとも有することを特徴とする請求項２５に記載の方法。
【請求項２７】  第１フラクションが、請求項２４に記載の方法に従って調製されたことを特徴とする請求項２５に記載の方法。
【請求項２８】  焼成が、連続炉および不連続炉から選択される炉において、あるいはマッフル炉または非マッフル炉において実施されることを特徴とする請求項２０に記載の方法。
【請求項２９】  焼成が１５〜１２０分間、実施されることを特徴とする請求項２０に記載の方法。
【請求項３０】  焼成が成形された材料の融点である最大温度にて実施されることを特徴とする請求項２０、２８、または２９に記載の方法。
【請求項３１】  請求項２０〜３０のいずれか１項に記載の方法により得られた、ガラスの又は結晶化ガラスのピース。
【請求項３２】  建築材料として有用なガラスの又は結晶化ガラスタイプのピースの製造における、請求項１〜１４のいずれかに記載の材料の使用。
【請求項３３】  建築材料が、塗り床、建物外面または壁の要素、または装飾的要素である、請求項３２に記載の使用。
【手続補正２】
【補正対象書類名】明細書
【補正対象項目名】０００７
【補正方法】変更
【補正の内容】
【０００７】
（発明の対象）
本発明の対象は、いずれのフォーマット、形状または寸法でも未焼成体を形成するのに十分な寸法安定性を有し、また、向上した耐摩耗性、耐化学薬品性、および汚れにくい性質を有し、且つ、大理石のような色および装飾的なモティーフの多様性を無限に有する、ガラスまたは結晶化ガラスのピースを製造するためのベース材料である。
【手続補正３】
【補正対象書類名】明細書
【補正対象項目名】００２５
【補正方法】変更
【補正の内容】
【００２５】
種々の色彩、色調（もしくは色合いもしくは濃淡）、および／または幾何学的もしくは奇抜な装飾を、表面層にて、好ましくは焼成したピースの全体積で得るために、下記から選択される少なくとも２つのフラクションを組み合わせてよい：フラクションは、
−上述のベース材料の第１フラクション、
−上述のベース材料の第２フラクション、および／または
−上述のベース材料の第３フラクション
であり、第１フラクション、第２フラクションおよび第３フラクションは、粒状体寸法、湿り度合、染料の存在、染料の割合、沈殿防止剤の存在、沈殿防止剤の割合、結合剤の割合、および物理的特性から選択される、第１の特性において少なくとも異なる。
【手続補正４】
【補正対象書類名】明細書
【補正対象項目名】００２８
【補正方法】変更
【補正の内容】
【００２８】
焼成のために、成形後に得られる未焼成のピースを、常套の方法で、耐火材（もしくは耐火煉瓦）の上に又は連続メッシュ炉を使用する場合には耐火メッシュの上に配置することができる。耐火材を使用する場合には、耐火材は予め常套の不粘着材の混合物（例えばカオリン）で被覆してよい。
【手続補正５】
【補正対象書類名】明細書
【補正対象項目名】００３７
【補正方法】変更
【補正の内容】
【００３７】
大理石のような材料に対する、本発明の材料およびそれから得られるピースの他の利点は、それらが、酸および塩基のような化学薬品に対してより大きい耐性を有することに加えて、より大きい耐摩耗性を有し、より大きい汚れにくい性質をも有することである。
【手続補正６】
【補正対象書類名】明細書
【補正対象項目名】００４４
【補正方法】変更
【補正の内容】
【００４４】
未焼成のピースは、カオリンのような常套の不粘着材の混合物で予め被覆された耐火材の上に配置され、それは１０００℃〜１０５０℃の最大温度にて、合計５５分間、焼成サイクルに付される。